(57)【要約】      （修正有）【課題】パレットを多数配置する場合、地震等による揺れがあっても、パレット相互間のズレを抑える。【解決手段】ベースパレット１０と、ベースパレット１０の四隅にそれぞれ設けられている支柱２０と、隣合う支柱相互を連結する横梁５０とを備えている。ベースパレット１０の側面には、この下に配置されたパレットと連結するための上下連結部材６０が設けられ、横梁５０には、この上に配置されたパレットの上下連結部材６０に係合する上下連結係合部５５が設けられている。支柱２０には、横連結係合部２８が設けられている。この支柱２０の横連結係合部２８と、横隣のパレットの支柱２０の横連結係合２８とのそれぞれに、横連結部材部７０を係合させる。【選択図】図１
2009190752.tif 000002
【特許請求の範囲】
【請求項１】
荷物が積載されるパレットにおいて、
荷物が載る矩形状の積載面を有するベースパレットと、
前記ベースパレットの四隅にそれぞれ設けられ、該ベースパレットの積載面に対して垂直な方向に伸びている４本の支柱と、
４本の支柱のうち、隣り合う２本の支柱の中胴部相互を連結する横梁と、
４本の前記支柱のそれぞれの上端に設けられ、他のパレットが載る受け面が形成されているパレット受け皿と、
先端側にフック部を有し、前記ベースパレットと前記支柱とのうち、少なくとも一方の部材に、相対移動可能に取り付けられた連結部材と、
隣接する他のパレットの連結部材のフック部が係合する係合部と、
を備えていることを特徴とするパレット。
【請求項２】
請求項１に記載のパレットにおいて、
前記連結部材として、前記フック部の先端が前記ベースパレットの裏面よりも下に位置している状態と上に位置している状態とに回転可能に、該ベースパレットに取り付けられた上下連結部材を有し、
前記係合部として、該係合部の上端が前記パレット受け皿の前記受け面より下になり、且つ、前記横梁上であって、前記パレット受け皿に載っている他のパレットのベースパレットに設けられた前記上下連結部材のフック部が係合可能な位置に固定されている上下連結係合部を有している、
ことを特徴とするパレット。
【請求項３】
請求項２に記載のパレットにおいて、
前記上下連結部材は、前記フック部と、該上下連結部材の回転中心を基準にして該フック部の先端と反対側に伸びているハンドル部とを有し、該上下連結部材の重心が該回転中心を基準にしてハンドル部側にある、
ことを特徴とするパレット。
【請求項４】
請求項３に記載のパレットにおいて、
前記上下連結部材の全体が前記ベースパレットの裏面より上にある状態を維持するために、該上下連結部材の前記ハンドル部を支えるハンドル支持部を有する、
ことを特徴とするパレット。
【請求項５】
請求項１から４のいずれか一項に記載のパレットにおいて、
前記連結部材として、前記フック部としての第１のフック部と、該第１のフック部と対称な位置に対称な形状の第２のフック部とを有する横連結部材を有し、
前記係合部として、前記横連結部材の前記第２のフック部が係合できる形状であり、前記支柱の中胴部に固定されている横連結係合部を有している、
ことを特徴とするパレット。
【請求項６】
請求項１から５のいずれか一項に記載のパレットにおいて、
前記支柱には、横梁取付部が設けられ、
前記横梁は、前記横張取付部に着脱自在な被取付部を有する、
ことを特徴とするパレット。
【請求項７】
請求項５に記載のパレットにおいて、
前記支柱には、該支柱が伸びている方向に並ぶ複数の横梁取付部が設けられ、
前記横梁は、前記横梁取付部に着脱自在な被取付部を有し、
前記横梁取付部は、前記横連結部材の前記第２のフック部が係合できる形状であり、前記横連結係合部を兼ねる、
ことを特徴とするパレット。
【請求項８】
請求項１から７のいずれか一項に記載のパレットにおいて、
４本の前記支柱のそれぞれに設けられた前記パレット受け皿は、互いに独立し、前記受け面が形成されている受け部と、該受け部の縁であって、該パレット受け皿が設けられている支柱に隣り合っている支柱から遠い側の縁に、前記積載面から遠ざかる方向に伸びているフランジ部と、を有する、
ことを特徴とするパレット。
【請求項９】
請求項１から８のいずれか一項に記載のパレットにおいて、
前記支柱は、該支柱の前記パレット受け皿が設けられている側とは反対側に設けられ、前記ベースパレットの四隅で前記積載面と該積載面と対向する該ベースパレットの裏面とのそれぞれに接する一対の接触片を有し、該一対の接触片で該ベースパレットの隅を挟み込む支柱被取付部を有する、
ことを特徴とするパレット。
【発明の詳細な説明】
【技術分野】
【０００１】
本発明は、荷物を載せるためのパレット、特に、荷物が載せられた状態で立体的に配置することができるパレットに関する。
【背景技術】
【０００２】
荷物が載せられた状態で、立体的に配置することができるパレットとしては、本願の出願人が出願した以下の特許文献１に記載のものがある。
【０００３】
このパレットは、積載面を有するベースパレットと、ベースパレットの四隅にそれぞれ設けられる４本の支柱と、４本の支柱のそれぞれの上端に設けられたパレット受け皿と、４本の支柱を互いに連結するための横梁とを備えている。パレット受け皿は、積載面と平行な受け面が形成されている受け部と、この受け部の縁であって、積載面から遠ざかる方向に伸びているフランジ部と、を有している。
【０００４】
【特許文献１】特開2007−45470号公報
【発明の開示】
【発明が解決しようとする課題】
【０００５】
特許文献１に記載の技術は、パレット受け皿にフランジ部があるため、パレットの上にさらにパレットを載せても、下のパレットの受け皿のフランジ部により、上のパレットの横方向の動きが規制されるため、上のパレットの安定性を高めることができる。
【０００６】
しかしながら、仮に、パレットの３段積み、４段積みを行っているときに、地震があった場合、特許文献１に記載のパレットであっても、上部のパレットが横ズレ等を起こしてしまう虞がある。このため、パレットユーザ、特に、パレット上に危険物や汚染物質や精密機械等を載せることを前提としているパレットユーザから、パレットの多段積みをしているときに、地震があっても、特許文献１に記載のパレットより、上部のパレットが横ズレ等しないものがほしいという要望がある。
【０００７】
本発明は、このような要望に応えるべく、荷物が載せられた状態のパレットを多数配置する場合、地震等による揺れがあっても、パレット相互間でのズレを抑えることができるパレットを提供することを目的とする。
【課題を解決するための手段】
【０００８】
前記問題点を解決するためのパレットに係る発明は、
荷物が積載されるパレットにおいて、
荷物が載る矩形状の積載面を有するベースパレットと、
前記ベースパレットの四隅にそれぞれ設けられ、該ベースパレットの積載面に対して垂直な方向に伸びている４本の支柱と、
４本の支柱のうち、隣り合う２本の支柱の中胴部相互を連結する横梁と、
４本の前記支柱のそれぞれの上端に設けられ、他のパレットが載る受け面が形成されているパレット受け皿と、
先端側にフック部を有し、前記ベースパレットと前記支柱とのうち、少なくとも一方の部材に、相対移動可能に取り付けられた連結部材と、
隣接する他のパレットの連結部材のフック部が係合する係合部と、
を備えていることを特徴とする。
【０００９】
こここで、前記パレットに係る発明において、
前記連結部材として、前記フック部の先端が前記ベースパレットの裏面よりも下に位置している状態と上に位置している状態とに回転可能に、該ベースパレットに取り付けられた上下連結部材を有し、
前記係合部として、該係合部の上端が前記パレット受け皿の前記受け面より下になり、且つ、前記横梁上であって、前記パレット受け皿に載っている他のパレットのベースパレットに設けられた前記上下連結部材のフック部が係合可能な位置に固定されている上下連結係合部を有していてもよい。
【００１０】
また、前記パレットに係る発明において、
前記連結部材として、前記フック部としての第１のフック部と、該第１のフック部と対称な位置に対称な形状の第２のフック部とを有する横連結部材を有し、
前記係合部として、前記横連結部材の前記第２のフック部が係合できる形状であり、前記支柱の中胴部に固定されている横連結係合部を有していてもよい。
【発明の効果】
【００１１】
本発明によれば、隣接するパレット相互を連結部材で連結することで、地震等による揺れがあっても、パレット相互間のズレを抑えることができる。
【発明を実施するための最良の形態】
【００１２】
以下、本発明に係るパレットの一実施形態について、図面を用いて説明する。
【００１３】
本実施形態のパレットは、図１に示すように、矩形状の積載面１１を有するベースパレット１０と、このベースパレット１０の四隅に設けられる支柱２０と、各支柱２０の一方の端部２１に設けられるパレット受け皿３０と、ベースパレット１０の積載面１１に対して垂直な方向に伸びている状態の各支柱２０をベースパレット１０の四隅の取り付けるための支柱被取付部４０と、各支柱２０の中胴部分相互を連結するための複数の横梁５０と、上下に隣接しているパレット相互を連結するための上下連結部材６０と、この上下連結部材が係合する上下連結係合部５５と、左右に隣接しているパレット相互を連結するための横連結部材７０と、この横連結部材７０が係合する横連結係合部２８と、を備えている。
【００１４】
ベースパレット１０は、断面が溝型又は矩形型の梁材１５と、複数の梁材１５を互いに平行になるように連結するための連結梁材１６とを有して構成されている。このベースパレット１０は、厚みを持った矩形状を成しており、この厚み方向の一方の面が、荷物が載る積載面１１を成し、他方の面が裏面１２を成す。
【００１５】
支柱２０は、図２に示すように、断面がＬ型のアングル材を有し、その一方の端部２１に前述のパレット受け皿３０が設けられ、他方の端部２２側に前述の支柱被取付部４０が設けられている。
【００１６】
パレット受け皿３０は、支柱２０が伸びている方向に垂直な方向に広がっているほぼ直角三角形状の受け面が形成されている受け部３１と、この受け部３１の縁に設けられているフランジ部３２と、を有している。このフランジ部３２は、ほぼ直角三角形の受け部３１の直角を成す２辺に設けられている。また、このブランジ部３２は、この支柱２０の前記他方の端部２２から遠ざかる方向に伸びている。支柱被取付部４０は、ベースパレット１０の四隅の積載面１１及び裏面１２にそれぞれ接触する一対の接触片４１,４２を有している。一対の接触片４１,４２は、いずれも、この一対の接触片４１,４２が設けられている支柱２０と隣り合っている他の支柱２０に近づく方向に広がっている。一対の接触片４１,４２の相互間隔は、ベースパレット１０の厚さに対応している。一対の接触片４１,４２は、ベースパレット１０の隅を挟みこんだ状態で、ベースパレット１０の隅に溶着されている。なお、ここでは、支柱２０をベースパレット１０に固定するために、支柱被取付部４０の一対の接触片４１，４２をベースパレット１０に溶着しているが、ベースパレット１０に対して支柱２０を取り外せるように、一対の接触片４１，４２及びベースパレット１０の隅を貫通するボルト等を用いて、支柱２０をベースパレット１０に固定するようにしてもよい。
【００１７】
支柱２０の中胴部の上下には、図１〜図３に示すように、それぞれ、横梁取付部２５が設けられ、ここに横梁５０の被取付部５１が着脱自在に嵌め込まれている。横梁取付部２５は、支柱２０が伸びている方向に伸びる穴２６を有している。この穴２６の幅は、ベースパレット１０に近づくに連れて次第に小さくなるように形成されている。また、横梁５０の被取付部５１は、横梁５０が伸びている方向に対して垂直な方向に伸びて、横梁取付部２５の穴２６に嵌め込まれる。この被取付部５１の幅も、ベースパレット１０に近づくに連れて次第に小さくなるように形成されている。この横梁５０は、横梁取付部２５の穴２６に、横梁５０の被取付部５１を嵌め込むことで、支柱２０に取り付けられる。なお、この実施形態では、横梁５０が支柱２０に取付け取外し可能であるが、溶接等で横梁５０を支柱２０に固定してしまってもよい。但し、前述したように、支柱２０をベースパレット１０にボルト等で固定し、ベースパレット１０から支柱２０を取外すことができるような場合には、横梁５０も、本実施形態のように支柱２０から取外せるようにしておくことが好ましい。
【００１８】
支柱２０の中胴部であって、上下の横梁取付部２５，２５の間には、上下に並んで、二つの横連結係合部２８が固定されている。この横連結係合部２８にも、図３に示すように、横梁取付部２５の穴２６と同形状且つ同サイズの穴２９が形成されている。
【００１９】
左右に隣接しているパレット相互を連結するための横連結部材７０は、図３に示すように、一対のフック部７１，７１と、一対のフック部７１，７１相互を連結する連結片７２とを有している。一対のフック部７１，７１のうち、一方のフック部７１は、連結片７２の一方の端部に固定され、他方のフック部７１は、連結片７２の他方の端部に固定されている。この一方のフック部７１は、横梁５０の被取付部５１と同形状且つ同サイズである。また、他方のフック部７１は、この一方のフック部７１に対して左右対称な形状である。図３及び図５に示すように、この横連結部材７０の一方のフック部７１が前述の横連結係合部２８に嵌め込まれ、この横連結部材７０の他方のフック部７１が、横に隣接する他のパレットの横連結結合部２８に嵌め込まれることにより、横に隣接しているパレット相互が連結される。
【００２０】
前述したように、横梁取付部２５の穴２６と横連結係合部２８の穴２９とは、同形状且つ同サイズであり、横梁５０の被取付部５１と横連結部材７０のフック部７１とは、同形状且つ同サイズであるため、横梁５０の被取付部５１を横連結係合部２８の穴２９に嵌め込み、横連結部材７０のフック部７１を横梁取付部２５の穴２６に嵌め込むことも可能である。従って、支柱２０に対する、横梁５０、横連結部材７０の上下の取付位置を自在に変えることができる。また、異なる部材相互が同形状及び同サイズであることから、製造コストを抑えることもできる。
【００２１】
図１に示すように、各支柱２０の上部の横梁取付部２５に取り付けられる横梁５０のうち、互いに向かい合っている一対の横梁５０には、このパレットの上に載置される他のパレットを連結するための上下連結係合部５５が設けられている。この上下連結係合部５５は、図３に示すように、Ｕ字形を成し、このＵ字の底が上を向くように、Ｕ字の両端が横梁５０に固定されている。なお、図３では、端部が隣り合っている二つの横梁５０のそれぞれに上下連結係合部５５が設けられているように描いているが、これは、上下連結結合部５５の形状を示すために描いているだけであり、実際には、図１に示すように、端部が隣り合っている二つの横梁５０のうちの一方の横梁５０にのみ上下連結結合部５５が設けられている。
【００２２】
この上下連結係合部５５は、図６に示すように、横梁５０が支柱２０の上部の横梁取付部２５に取り付けられた際、パレット受け皿３０の受け部３１よりも、この上下連結係合部５５の上端が下に位置するように形成されている。これは、この受け部３１上に、他のパレットのベースパレット１０を載せた際、この他のベースパレット１０の裏面１２との接触を回避するためである。
【００２３】
上下に隣接しているパレット相互を連結するための上下連結部材６０は、図４に示すように、上下連結係合部５５に係合する円弧状のフック部６１と、円弧状のフック部６１の一方の端部が固定されているハンドル部６２と、このハンドル部６２を回転可能にベースパレット１０の側面に取り付ける回転軸部６３と、を有している。回転軸部６３は、ハンドル部６２の一方の端部に設けられている。円弧状のフック部６１は、円弧の中心が回転軸部６３と一致するように、ハンドル部６２に固定されている。この上下連結部材６０は、この全体がベースパレット１０の裏面１２より上にある状態と、フック部６１の先端がベースパレット１０の裏面１２よりも下にある状態とに回転できる。また、この上下連結部材６０は、回転軸部６３を基準として、ハンドル部側に重心がある。このため、この上下連結部材６０に対して何ら支えがない場合には、ハンドル部側が常に下にくる。ベースパレット１０の側面には、ハンドル部６２の回転軸部６３と反対側の端部を支えて、上下連結部材６０の全体がベースパレット１０の裏面１２より上にある状態を維持するためのハンドル支持部１９が固定されている。上下連結部材６０は、ハンドル部６２がハンドル支持部１９に支えられている状態から回転させ、フック部６１の先端がベースパレット１０の下に至ると、このパレットの下に位置している他のパレットの上下連結係合部５５に係合する。ハンドル部６２をさらに回転させて、ハンドル部６２の揺動端部がフック部６１よりも下に至ると、ハンドル部６２から手を離しても、前述したように、ハンドル部側に重心があるため、係合状態が維持される。
【００２４】
従って、図４及び図６に示すように、あるパレットの上に他のパレットを載置した後、上に位置しているパレットの上下連結部材３０を回転させて、下のパレットの上下連結係合部５５に係合させることにより、上下に隣接しているパレット相互を連結することができる。
【００２５】
以上のように、本実施形態では、パレットの４つのパレット受け皿３０上に、他のパレットのベースパレット１０を置くことで、ラック等が準備されていなくても、パレットを立体的に配置することができる。また、パレット受け皿３０には、フランジ部３１が形成されている上に、上下のパレット相互を上下連結部材６０等で連結することができるので、多少の地震があった場合でも、上のパレットが下のパレットに対してズレることを防ぐことができる。さらに、横に隣接しているパレット相互を横連結部材７０等で連結することができるので、上下、左右に隣接しているパレット相互が一体化し、地震に対するパレット相互間のズレをほぼ確実に防ぐことができる。
【図面の簡単な説明】
【００２６】
【図１】本発明に係る一実施形態におけるパレットの斜視図である。
【図２】本発明に係る一実施形態における支柱、パレット受け皿、支柱被取付部の斜視図である。
【図３】本発明に係る一実施形態における横梁の取付過程及び横連結部材の係合過程を示す説明図である。
【図４】本発明に係る一実施形態における上下連結部材の係合過程を示す説明図である。
【図５】本発明に係る一実施形態における横に隣接しているパレット相互を連結する過程を示す説明図である。
【図６】本発明に係る一実施形態における上下に隣接しているパレット相互を連結する過程を示す説明図である。
【符号の説明】
【００２７】
１０：ベースパレット、１１：積載面、１２：裏面、２０：支柱、２１：支柱の一方の端部、２２：支柱の他方の端部、２５：横梁取付部、２６：横梁取付部の穴、２８：横連結係合部、２９：横連結係合部の穴、３０：パレット受け皿、３１：受け部、３２：フランジ部、４０：支柱被取付部、４１，４２：接触片、５０：横梁、５１：横梁の被取付部、５５：上下連結係合部、６０：上下連結部材、６１：フック部、６２：ハンドル部、６３：回転軸部、７０：横連結部材、７１：フック部
【図１】
2009190752.tif 000003
【図２】
2009190752.tif 000004
【図３】
2009190752.tif 000005
【図４】
2009190752.tif 000006
【図５】
2009190752.tif 000007
【図６】
2009190752.tif 000008
【手続補正書】
【提出日】平成21年4月13日(2009.4.13)
【手続補正１】
【補正対象書類名】特許請求の範囲
【補正対象項目名】全文
【補正方法】変更
【補正の内容】
【特許請求の範囲】
【請求項１】
荷物が積載されるパレットにおいて、
荷物が載る矩形状の積載面を有するベースパレットと、
前記ベースパレットの四隅にそれぞれ設けられ、該ベースパレットの積載面に対して垂直な方向に伸びている４本の支柱と、
４本の支柱のうち、隣り合う２本の支柱の中胴部相互を連結する横梁と、
４本の前記支柱のそれぞれの上端に設けられ、他のパレットが載る受け面が形成されているパレット受け皿と、
先端側にフック部を有し、該フック部の先端が前記ベースパレットの裏面よりも下に位置している状態と上に位置している状態とに回転可能に、該ベースパレットに取り付けられた上下連結部材と、
前記パレット受け皿に載っている他のパレットのベースパレットに設けられた前記上下連結部材のフック部が係合する上下連結係合部と、
を備え、
前記上下連結係合部は、該上下連結係合部の上端が前記パレット受け皿の前記受け面より下になり、且つ、前記横梁上であって、前記パレット受け皿に載っている前記他のパレットのベースパレットに設けられた前記上下連結部材のフック部が係合可能な位置に固定されている、
ことを特徴とするパレット。
【請求項２】
請求項１に記載のパレットにおいて、
前記上下連結部材は、前記フック部と、該上下連結部材の回転中心を基準にして該フック部の先端と反対側に伸びているハンドル部とを有し、該上下連結部材の重心が該回転中心を基準にしてハンドル部側にある、
ことを特徴とするパレット。
【請求項３】
請求項２に記載のパレットにおいて、
前記上下連結部材の全体が前記ベースパレットの裏面より上にある状態を維持するために、該上下連結部材の前記ハンドル部を支えるハンドル支持部を有する、
ことを特徴とするパレット。
【請求項４】
請求項１から３のいずれか一項に記載のパレットにおいて、
第１のフック部と、該第１のフック部と対称な位置に対称な形状の第２のフック部とを有する横連結部材と、
前記横連結部材の前記第２のフック部が係合できる形状であり、前記支柱の中胴部に固定されている横連結係合部と、
を備えていることを特徴とするパレット。
【請求項５】
請求項１から４のいずれか一項に記載のパレットにおいて、
前記支柱には、横梁取付部が設けられ、
前記横梁は、前記横張取付部に着脱自在な被取付部を有する、
ことを特徴とするパレット。
【請求項６】
請求項４に記載のパレットにおいて、
前記支柱には、該支柱が伸びている方向に並ぶ複数の横梁取付部が設けられ、
前記横梁は、前記横梁取付部に着脱自在な被取付部を有し、
前記横梁取付部は、前記横連結部材の前記第２のフック部が係合できる形状であり、前記横連結係合部を兼ねる、
ことを特徴とするパレット。
【請求項７】
請求項１から６のいずれか一項に記載のパレットにおいて、
４本の前記支柱のそれぞれに設けられた前記パレット受け皿は、互いに独立し、前記受け面が形成されている受け部と、該受け部の縁であって、該パレット受け皿が設けられている支柱に隣り合っている支柱から遠い側の縁に、前記積載面から遠ざかる方向に伸びているフランジ部と、を有する、
ことを特徴とするパレット。
【請求項８】
請求項１から７のいずれか一項に記載のパレットにおいて、
前記支柱は、該支柱の前記パレット受け皿が設けられている側とは反対側に設けられ、前記ベースパレットの四隅で前記積載面と該積載面と対向する該ベースパレットの裏面とのそれぞれに接する一対の接触片を有し、該一対の接触片で該ベースパレットの隅を挟み込む支柱被取付部を有する、
ことを特徴とするパレット。
【手続補正２】
【補正対象書類名】明細書
【補正対象項目名】０００８
【補正方法】変更
【補正の内容】
【０００８】
前記問題点を解決するためのパレットに係る発明は、
荷物が積載されるパレットにおいて、
荷物が載る矩形状の積載面を有するベースパレットと、
前記ベースパレットの四隅にそれぞれ設けられ、該ベースパレットの積載面に対して垂直な方向に伸びている４本の支柱と、
４本の支柱のうち、隣り合う２本の支柱の中胴部相互を連結する横梁と、
４本の前記支柱のそれぞれの上端に設けられ、他のパレットが載る受け面が形成されているパレット受け皿と、
先端側にフック部を有し、該フック部の先端が前記ベースパレットの裏面よりも下に位置している状態と上に位置している状態とに回転可能に、該ベースパレットに取り付けられた上下連結部材と、
前記パレット受け皿に載っている他のパレットのベースパレットに設けられた前記上下連結部材のフック部が係合する上下連結係合部と、
を備え、
前記上下連結係合部は、該上下連結係合部の上端が前記パレット受け皿の前記受け面より下になり、且つ、前記横梁上であって、前記パレット受け皿に載っている前記他のパレットのベースパレットに設けられた前記上下連結部材のフック部が係合可能な位置に固定されている、
ことを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
第１のフック部と、該第１のフック部と対称な位置に対称な形状の第２のフック部とを有する横連結部材と、
前記横連結部材の前記第２のフック部が係合できる形状であり、前記支柱の中胴部に固定されている横連結係合部と、
を備えてもよい。
【手続補正５】
【補正対象書類名】明細書
【補正対象項目名】００１１
【補正方法】変更
【補正の内容】
【００１１】
本発明によれば、上下に隣接するパレット相互を上下連結部材で連結することで、地震等による揺れがあっても、パレット相互間のズレを抑えることができる。